(57)【特許請求の範囲】
【請求項１】
第１の照明光下における被測定物の第１のスペクトルと、該第１の照明光とは異なる分光エネルギー分布の第２の照明光下における被測定物の第２のスペクトルと、を測定するスペクトル測定手段と、
このスペクトル測定手段により測定された第１のスペクトルと第２のスペクトルとに基づき被測定物の分光反射率を算出する分光反射率算出手段と、
を具備し、
上記分光反射率算出手段は、
上記第１のスペクトルに基づき蛍光成分の分光反射率を算出する蛍光分光反射率算出手段と、
上記第２のスペクトルに基づき非蛍光成分の分光反射率を算出する非蛍光分光反射率算出手段と、
上記蛍光分光反射率算出手段により算出された蛍光成分の分光反射率と上記非蛍光分光反射率算出手段により算出された非蛍光成分の分光反射率とを合成して被測定物の分光反射率を算出する分光反射率合成手段と、
を有して構成され、
上記蛍光分光反射率算出手段は、
上記第１のスペクトルに基づき蛍光スペクトルを算出する蛍光スペクトル算出手段と、
上記非蛍光成分の分光反射率に基づき蛍光の発光効率を算出する発光効率算出手段と、
上記蛍光スペクトルと上記発光効率とを合成して蛍光成分の分光反射率を算出する蛍光分光反射率合成手段と、
を有して構成されたものであることを特徴とする分光測定システム。
【請求項２】
上記第２の照明光は、互いに異なるスペクトルを有するＮ（Ｎは２以上の整数）種類の照明光を含み、
上記蛍光スペクトル算出手段は、上記Ｎ種類の照明光下において被測定物を測定して得られるＮ種類の第２のスペクトルに基づき蛍光スペクトルの絶対値を算出するものであることを特徴とする請求項１に記載の分光測定システム。
【請求項３】
上記被測定物の分光反射率と、所望の照明光スペクトルと、等色関数と、に基づき測色値を算出する色算出手段をさらに具備したことを特徴とする請求項１または２に記載の分光測定システム。
【請求項４】
第１の照明光下において被写体を撮影し第１の撮影信号を出力するとともに、該第１の照明光とは異なる分光エネルギー分布の第２の照明光下において被写体を撮影し第２の撮影信号を出力する撮影手段と、
上記第１の撮影信号と第２の撮影信号とに基づきカラー画像信号を算出するカラー画像信号変換手段と、
上記カラー画像信号を出力するカラー画像出力手段と、
を具備し、
上記カラー画像信号変換手段は、
上記第１の撮影信号に基づき蛍光成分の分光反射率を算出する蛍光分光反射率算出手段と、
上記第２の撮影信号に基づき非蛍光成分の分光反射率を算出する非蛍光分光反射率算出手段と、
上記蛍光成分の分光反射率と上記非蛍光成分の分光反射率とを合成して被写体の分光反射率を算出する分光反射率合成手段と、
上記被写体の分光反射率に基づきカラー画像信号を算出するカラー画像信号算出手段と、
を有して構成され、
上記蛍光分光反射率算出手段は、
上記第１の撮影信号に基づき蛍光スペクトルを算出する蛍光スペクトル算出手段と、
上記非蛍光成分の分光反射率に基づき蛍光の発光効率を算出する発光効率算出手段と、
上記蛍光スペクトルと上記発光効率とを合成して蛍光成分の分光反射率を算出する蛍光分光反射率合成手段と、
を有して構成されたものであることを特徴とする色再現システム。
【請求項５】
上記第２の照明光は、互いに異なるスペクトルを有するＮ（Ｎは２以上の整数）種類の照明光を含み、
上記蛍光スペクトル算出手段は、上記Ｎ種類の照明光下において被写体を撮影して得られるＮ種類の第２の撮影信号に基づき蛍光スペクトルの絶対値を算出するものであることを特徴とする請求項４に記載の色再現システム。
【発明の詳細な説明】
【０００１】
【発明の属する技術分野】
本発明は、蛍光物体および非蛍光物体を対象としてスペクトル測定や画像の色再現を行う分光測定システム、色再現システムに関する。
【０００２】
【従来の技術】
近年、電子商取引や電子美術館・博物館などの実現を目的として、物体の分光反射率を正確に取得し、任意の照明光下における物体の画像をディスプレイ上に正確な色で再現する技術の研究が活発に行われている。
【０００３】
これらの研究は、物体から反射される光のスペクトルが、物体を照らす照明光のスペクトルと物体の分光反射率との積で与えられるという物理モデルに基づくものとなっている。ここで、ある波長の光（ある単色光）を照明光として用いたときに物体から反射される光は、該単色光と同一の波長の光のみからなり、異なる波長の光を反射成分として含むことはない。
【０００４】
このようなモデルに基づいて分光反射率を推定する手段としては、例えば、村上百合、他による「正確な色再現が可能なカラー画像システムの開発」（カラーフォーラムJAPAN'99論文集の第５頁から第８頁）（文献１）に記載されたものが挙げられ、この推定手段をマルチバンド画像データに適用することにより、任意の照明光下における正確な色推定を行うことが可能となる。
【０００５】
ところで、例えば工業製品や美術品の作成等に用いられる実際の色材には、蛍光成分、すなわち照明光と異なる波長の光を発光する成分が含まれている場合がある。
【０００６】
しかし、上記文献１に記載されたような色推定手段は、適用可能な対象が蛍光発光を行わない物体（非蛍光物体）に限定されているために、こうしたケースに対応するものとはなっていない。
【０００７】
任意の照明光下において、蛍光発光を行う物体（蛍光物体）の反射光スペクトルを算出するためには、物体を照らす照明光のスペクトルの各波長（以下、入射波長と記載する。）に対して物体からの反射光のスペクトルの各波長（以下、反射波長と記載する。）の反射率を与える２次元の分光反射率が必要となる。
【０００８】
このような２次元の分光反射率を得るためには、所望の波長帯域において、単色光による分光反射率の測定を、複数の入射波長の単色光について行わなければならない。
【０００９】
これまでに提案されている２次元の分光反射率を測定する分光測定システムとしては、J.C.Zwinkels and F.Gauthierによる「Instrumentation, standards, and procedures used at the National Research Council of Canada for high-accuracy fluorescence measurements」（Analytica Chimica Acta 380(1999)193-209）（文献２）に記載されたものが挙げられる。
【００１０】
【発明が解決しようとする課題】
しかしながら、上記文献２に記載されたものは、複雑な光学系を含む構成となっているために、該構成に基づいて画像データを取得するシステムを構築することは極めて難しく、構成したとしても高価なシステムとなってしまう。
【００１１】
こうして、蛍光物体の色を任意の照明光下において正確に推定し、カラー画像として再現し得る、比較的簡単で実用的な価格の分光測定システム、色再現システムは、未だ実現されていない。
【００１２】
本発明は上記事情に鑑みてなされたものであり、任意の照明光下における蛍光物体の色やスペクトルを簡便かつ正確に取得することが可能な分光測定システム、色再現システムを提供することを目的としている。
【００１３】
【課題を解決するための手段】
上記の目的を達成するために、第１の発明による分光測定システムは、第１の照明光下における被測定物の第１のスペクトルと、該第１の照明光とは異なる分光エネルギー分布の第２の照明光下における被測定物の第２のスペクトルと、を測定するスペクトル測定手段と、このスペクトル測定手段により測定された第１のスペクトルと第２のスペクトルとに基づき被測定物の分光反射率を算出する分光反射率算出手段と、を具備し、上記分光反射率算出手段は、上記第１のスペクトルに基づき蛍光成分の分光反射率を算出する蛍光分光反射率算出手段と、上記第２のスペクトルに基づき非蛍光成分の分光反射率を算出する非蛍光分光反射率算出手段と、上記蛍光分光反射率算出手段により算出された蛍光成分の分光反射率と上記非蛍光分光反射率算出手段により算出された非蛍光成分の分光反射率とを合成して被測定物の分光反射率を算出する分光反射率合成手段と、を有して構成され、上記蛍光分光反射率算出手段は、上記第１のスペクトルに基づき蛍光スペクトルを算出する蛍光スペクトル算出手段と、上記非蛍光成分の分光反射率に基づき蛍光の発光効率を算出する発光効率算出手段と、上記蛍光スペクトルと上記発光効率とを合成して蛍光成分の分光反射率を算出する蛍光分光反射率合成手段と、を有して構成されたものである。
【００１４】
また、第２の発明による分光測定システムは、上記第１の発明による分光測定システムにおいて、上記第２の照明光が互いに異なるスペクトルを有するＮ（Ｎは２以上の整数）種類の照明光を含み、上記蛍光スペクトル算出手段は、上記Ｎ種類の照明光下において被測定物を測定して得られるＮ種類の第２のスペクトルに基づき蛍光スペクトルの絶対値を算出するものである。
【００１５】
さらに、第３の発明による分光測定システムは、上記第１または第２の発明による分光測定システムにおいて、上記被測定物の分光反射率と、所望の照明光スペクトルと、等色関数と、に基づき測色値を算出する色算出手段をさらに具備したものである。
【００１６】
第４の発明による色再現システムは、第１の照明光下において被写体を撮影し第１の撮影信号を出力するとともに、該第１の照明光とは異なる分光エネルギー分布の第２の照明光下において被写体を撮影し第２の撮影信号を出力する撮影手段と、上記第１の撮影信号と第２の撮影信号とに基づきカラー画像信号を算出するカラー画像信号変換手段と、上記カラー画像信号を出力するカラー画像出力手段と、を具備し、上記カラー画像信号変換手段は、上記第１の撮影信号に基づき蛍光成分の分光反射率を算出する蛍光分光反射率算出手段と、上記第２の撮影信号に基づき非蛍光成分の分光反射率を算出する非蛍光分光反射率算出手段と、上記蛍光成分の分光反射率と上記非蛍光成分の分光反射率とを合成して被写体の分光反射率を算出する分光反射率合成手段と、上記被写体の分光反射率に基づきカラー画像信号を算出するカラー画像信号算出手段と、を有して構成され、上記蛍光分光反射率算出手段は、上記第１の撮影信号に基づき蛍光スペクトルを算出する蛍光スペクトル算出手段と、上記非蛍光成分の分光反射率に基づき蛍光の発光効率を算出する発光効率算出手段と、上記蛍光スペクトルと上記発光効率とを合成して蛍光成分の分光反射率を算出する蛍光分光反射率合成手段と、を有して構成されたものである。
【００１７】
第５の発明による色再現システムは、上記第４の発明による色再現システムにおいて、上記第２の照明光が互いに異なるスペクトルを有するＮ（Ｎは２以上の整数）種類の照明光を含み、上記蛍光スペクトル算出手段は、上記Ｎ種類の照明光下において被写体を撮影して得られるＮ種類の第２の撮影信号に基づき蛍光スペクトルの絶対値を算出するものである。
【００２０】
【発明の実施の形態】
まず、実施の形態を具体的に説明する前に、本発明に用いられる原理について詳細に説明する。この原理は、分光計により測定したスペクトルデータに基づいて、蛍光物体の分光反射率を推定するものである。
【００２１】
蛍光物体の分光反射率は、入射波長λinと反射波長λoutとの両方に依存するために、これらを変数とする２変数関数により、ｒ（λin，λout）と表すことにする。
【００２２】
このような物体に対して、分光エネルギー分布（ＳＰＤ：Spectral Power Distribution）ｅ（λin）の照明光が与えられると、その反射光の分光エネルギー分布ｖ（λout）は、次の数式１により表される。
【数１】
0004174707.tif 000002
【００２３】
ここに、蛍光物体は、入射波長λinの入射光と、この入射光が入射したときに射出される反射波長λoutの射出光と、の間に、λout≦λinなる関係がある（つまり、射出光は入射光と同等またはそれ以下のエネルギーとなる）ために、上記分光反射率ｒ（λin，λout）はそれを反映した関数となっている（以下に示す行列表現参照）。
【００２４】
ここで、可視波長域をｎ点で離散化して、上記数式１を行列形式で表現すると、次の数式２に示すようになる。
【数２】
0004174707.tif 000003
【００２５】
ここで、各ベクトルｖ，ｅと行列Ｒとを、
【数３】
0004174707.tif 000004
とおくと、上記数式２は次のように略記される。
【数４】
0004174707.tif 000005
【００２６】
行列形式の分光反射率Ｒは、非蛍光成分の分光反射率Ｒ0と、蛍光成分の分光反射率Ｒfと、の線形結合として表現されるために、
【数５】
0004174707.tif 000006
とおくと、
【数６】
0004174707.tif 000007
となる。
【００２７】
非蛍光成分の分光反射率Ｒ0は、数式５に示したように対角成分のみでなるために、行列の対角成分を成分としたベクトルを作成する記号「diag」を用いて該分光反射率Ｒ0から作成したｎ次元ベクトルｒ0は、少数（ｍ個）のｎ次元基底ベクトル（主成分）ｕi（ｉ＝１，…，ｍ）と、その係数ａi（ｉ＝１，…，ｍ）と、を用いて、以下の数式７に示すように近似される。
【数７】
0004174707.tif 000008
ここに、ａはａi（ｉ＝１，…，ｍ）を成分とするｍ次元ベクトル、Ｕはｕi（ｉ＝１，…，ｍ）を成分とするｎ×ｍ行列である。
【００２８】
また、蛍光成分の分光反射率Ｒfを、蛍光物質に関する観測結果に基づき、以下の数式８に示すような変数分離された関数の積としてモデル化する。
【数８】
0004174707.tif 000009
【００２９】
ここで、ｋ（λout）は物体固有（つまり、λinに依存していない。）の蛍光発光の分光特性を表し、ｓ（λin）は吸収した（非蛍光成分として反射されなかった）波長λinの光が蛍光発光にどれくらいの効率で寄与しているかを表す関数である。また、ｃは適宜の定数であり、モデルパラメータのひとつとなっている。
【００３０】
上記数式８を上述と同様にｎ点で離散化して、行列やベクトルにより表現すると、
【数９】
0004174707.tif 000010
となる。ここに、右肩の記号「T」は、転置を表している。
【００３１】
上記ｓ（λin）を次の数式１０に示すようにモデル化する。
【数１０】
0004174707.tif 000011
ここに、ｒ（λ）は、上記ベクトル表現ｒ0に対応する関数である。また、λmaxはｋ（λ）の最大値を与える波長、ｒmax，ｒminは、ｒ（λ）の最大値と最小値をそれぞれ表している。従って、ここでは、可視域を定義域とするλの範囲内において、ｒ（λ）の取り得る最大振幅（ｒmax−ｒmin）に対して、最大値ｒmaxからどれくらいが吸収されているか（ｒmax−ｒ（λ））、の割合を、蛍光発光に寄与する効率の指標として採用している。そして、上記λmaxは、蛍光発光におけるメインの波長というべきものであり、上述したように、射出光は入射光と同等またはそれ以下のエネルギーとなるために、切断波長となっている。
【００３２】
以上のようなモデルを用いると、上記数式２（あるいは数式４）は、
【数１１】
0004174707.tif 000012
と書け、既知数と未知数とが分離される表現となっている。なお、この数式１１の中程では、ベクトルｅの各成分を対角成分にもち対角成分以外は全て０となるｎ×ｎの対角行列Ｅを用いている。また、スカラー量ｂと行列Ｍは、それぞれ次のようにおいている。
【数１２】
0004174707.tif 000013
【数１３】
0004174707.tif 000014
なお、Ｍは、ｎ×（ｍ＋１）の非正方行列（長方行列）となっている。
【００３３】
このような準備の下に、対象物（被測定物）である蛍光物体の分光反射率Ｒを以下の手順により求める。ここに、照明光の分光エネルギー分布ｅと、ｒ0を近似するための基底ベクトルｕの組でなる基底行列Ｕとは、既知であるとする。
（１）可視域よりも短波長側にしかエネルギー分布を持たない照明光を用いて対象物のスペクトルを測定することにより、可視域の蛍光特性ｋを取得する。
（２）分光エネルギー分布ｅの照明光に対する蛍光物体の反射光の分光エネルギー分布ｖを測定する。
（３）ａi（ｉ＝１，…，ｍ）とｂとを、ＭをJacobian行列とした数式１１に基づく最小２乗法により、次の数式１４から求める。
【数１４】
0004174707.tif 000015
ここで、右肩の記号「-1」は、逆行列を表している。
（４）上記（３）で算出したａ1，…，ａmと、上記基底行列Ｕと、を上記数式７に適用することにより、ｒ0を求め、すなわち非蛍光成分の分光反射率Ｒ0を求める。
（５）上記（４）で算出したｒ0を上記数式１０のｒ（λ）に適用することにより、ｓ（λ）を求める。
（６）上記（３）で算出したｂと、上記（５）で算出したｓ（λ）と、照明光の分光エネルギー分布ｅと、を数式１２に適用することにより、パラメータｃを算出する。
（７）上記（６）で算出したパラメータｃと、上記（１）で取得した可視域の蛍光特性ｋと、上記（５）で算出したｓ（λ）と、を数式８に適用することにより、蛍光成分の分光反射率Ｒfを求める。
（８）上記（４）で算出したＲ0と、上記（７）で算出したＲfと、を数式６に適用することにより、蛍光物体の分光反射率Ｒを求める。
【００３４】
次に、複数の照明光を利用することができる場合には、より正確なスペクトル推定を安定して行うことが可能となる。そこで以下では、Ｐ種類の異なる分光エネルギー分布の照明光を用いる場合について説明する。Ｐ種類の照明光の分光エネルギー分布をｅ(i)（ｉ＝１，…，Ｐ）、これらのベクトルｅ(i)に各対応する対角行列をＥ(i)、各照明光により照明された対象物からのＰ種類の反射光の分光エネルギー分布をｖ(i)とすると、上記数式１１に対応するのは、次の数式１５となる。
【数１５】
0004174707.tif 000016
ここで、
【数１６】
0004174707.tif 000017
とおいている。
【００３５】
この場合、蛍光物体の分光反射率Ｒを求める手順は、Ｐ種類の照明光の分光エネルギー分布ｅ(i)（ｉ＝１，…，Ｐ）を既知として、次のようになる。
（１）照明光が１種類の場合と同様
（２）分光エネルギー分布ｅ(i)（ｉ＝１，…，Ｐ）の照明光に対する蛍光物体の反射光の分光エネルギー分布ｖ(i)（ｉ＝１，…，Ｐ）を測定する。
（３）ａi（ｉ＝１，…，ｍ）とｂ(i)（ｉ＝１，…，Ｐ）とを、数式１５に基づく最小２乗法により求める。
（４）上記（３）で算出したａ1，…，ａmと、上記基底行列Ｕと、を上記数式７に適用することにより、ｒ0を求め、すなわち非蛍光成分の分光反射率Ｒ0を求める。
（５）照明光が１種類の場合と同様
（６）上記（３）で算出したｂ(i)（ｉ＝１，…，Ｐ）と、上記（５）で算出したｓ（λ）と、照明光の分光エネルギー分布ｅ(i)と、を次の数式１７に適用することにより、ｃ(i)の平均値としてパラメータｃを算出する。
【数１７】
0004174707.tif 000018
ここで、上記数式１６から、
【数１８】
0004174707.tif 000019
とおいている。
（７）照明光が１種類の場合と同様
（８）照明光が１種類の場合と同様
【００３６】
次に、Ｌバンドのカメラによる撮影信号から蛍光物体の分光反射率を推定する手段の原理について詳細に説明する。Ｌバンドのカメラ撮影信号は画像データとして得られるが、ここでは簡単のために座標パラメータの記述を省略して、１画素の処理について説明する。
【００３７】
Ｌバンドカメラの分光感度をｈl（λ）（ｌ＝１，…，Ｌ）とし、蛍光物体に対して分光エネルギー分布ｅ（λin）の照明が与えられたときに、上記数式１で示された分光エネルギー分布ｖ（λout）の反射光を撮影して得られる撮影信号ｇl（ｌ＝１，…，Ｌ）は、以下の数式１９により表される。
【数１９】
0004174707.tif 000020
【００３８】
ここで、可視波長域をｎ点で離散化して、この数式１９を行列形式で表現すると、次の数式２０に示すようになる。
【数２０】
0004174707.tif 000021
【００３９】
さらに、各ベクトルと行列とを、次の数式２１に示すように略記する。
【数２１】
0004174707.tif 000022
【００４０】
上記数式１１を用いることにより、この数式２１は次の数式２２に示すようになる。
【数２２】
0004174707.tif 000023
ここに、
【数２３】
0004174707.tif 000024
とおいている。
【００４１】
このような準備の下に、対象物（被写体）である蛍光物体の分光反射率Ｒを以下の手順により求める。ここに、照明光の分光エネルギー分布ｅと、基底行列Ｕと、カメラの分光感度行列Ｈと、は既知であるとする。
（１）可視域よりも短波長側にしかエネルギー分布を持たない照明光を用いて対象物のスペクトルを撮影することにより、蛍光特性の撮影信号をｇ’を取得する。ここに、蛍光特性の撮影信号ｇ’は、ｇ’＝Ｈｋなる関係がある（実際には、与える照明光の強度に応じた積算因子の不定さがあるが、この不定さは、モデルパラメータｃに繰り込むことができるために、後でｃを求める際に取り除かれる。）ために、この関係式に基づいた例えば次の数式２４に示すような最小２乗法を用いる等により、ｋを推定する。
【数２４】
0004174707.tif 000025
（２）分光エネルギー分布ｅの照明光に対する対象物の反射光の撮影信号ｇを取得する。
（３）ａi（ｉ＝１，…，ｍ）とｂとを、Ｍ’をJacobian行列とした数式２２に基づく最小２乗法により、次の数式２５から求める。
【数２５】
0004174707.tif 000026
（４）上記（３）で算出したａ1，…，ａmと、上記基底行列Ｕと、を上記数式７に適用することにより、ｒ0を求め、すなわち非蛍光成分の分光反射率Ｒ0を求める。
（５）上記（４）で算出したｒ0を上記数式１０のｒ（λ）に適用することにより、ｓ（λ）を求める。
（６）上記（３）で算出したｂと、上記（５）で算出したｓ（λ）と、照明光の分光エネルギー分布ｅと、を数式１２に適用することにより、パラメータｃを算出する。
（７）上記（６）で算出したパラメータｃと、上記（１）で推定した可視域の蛍光特性ｋと、上記（５）で算出したｓ（λ）と、を数式８に適用することにより、蛍光成分の分光反射率Ｒfを求める。
（８）上記（４）で算出したＲ0と、上記（７）で算出したＲfと、を数式６に適用することにより、蛍光物体の分光反射率Ｒを求める。
【００４２】
Ｌバンドのカメラによる撮影信号から蛍光物体の分光反射率を推定する場合にも、複数の照明光を利用することができるときは、より正確なスペクトル推定を安定して行うことが可能となる。Ｐ種類の分光エネルギー分布ｅ(i)（ｉ＝１，…，Ｐ）の照明光により照明された対象物を撮影して得られるＰ種類の撮影信号をｇ(i)とすると、上記数式２２に対応するのは、次の数式２６となる。
【数２６】
0004174707.tif 000027
ここにｂ(i)は、上記数式１６により与えられる。
【００４３】
この場合、蛍光物体の分光反射率Ｒを求める手順は、Ｐ種類の照明光の分光エネルギー分布ｅ(i)（ｉ＝１，…，Ｐ）を既知として、次のようになる。
（１）照明光が１種類の場合と同様
（２）分光エネルギー分布ｅ(i)（ｉ＝１，…，Ｐ）の照明光に対する蛍光物体の反射光の撮影信号ｇ(i)（ｉ＝１，…，Ｐ）を取得する。
（３）ａi（ｉ＝１，…，ｍ）とｂ(i)（ｉ＝１，…，Ｐ）とを、数式２６に基づく最小２乗法により求める。
（４）上記（３）で算出したａ1，…，ａmと、上記基底行列Ｕと、を上記数式７に適用することにより、ｒ0を求め、すなわち非蛍光成分の分光反射率Ｒ0を求める。
（５）照明光が１種類の場合と同様
（６）上記（３）で算出したｂ(i)（ｉ＝１，…，Ｐ）と、上記（５）で算出したｓ（λ）と、照明光の分光エネルギー分布ｅ(i)と、を上記数式１７および数式１８に適用することにより、ｃ(i)の平均値としてパラメータｃを算出する。
（７）照明光が１種類の場合と同様
（８）照明光が１種類の場合と同様
【００４４】
以下、図面を参照して本発明の実施の形態を具体的に説明する。
図１から図４は本発明の第１の実施形態を示したものであり、図１は分光測定システムの概略構成を示す図である。
【００４５】
この分光測定システムは、照明光を発光する照明装置１と、白色板７と、上記照明光により照明された白色板７および対象物であり被測定物である被写体２の分光を行うスペクトル測定手段たる分光計３と、この分光計３を制御するとともにその分光結果を受け取るスペクトル測定手段を兼ねた制御装置４と、この制御装置４から出力される分光結果に基づき分光反射率を算出する分光反射率算出手段たる分光反射率算出装置５と、この分光反射率算出装置５により算出された分光反射率に基づき測色値を算出する色算出手段たる測色値算出装置６と、を有して構成されていて、非蛍光物体だけでなく蛍光物体の測定も行うことができるようになっている。
【００４６】
上記照明装置１は、第１の照明光を発光する第１発光部１ａと、第２の照明光Ａを発光する第２発光部１ｂと、第２の照明光Ｂを発光する第３発光部１ｃと、を有して構成されていて、各照明光はそれぞれ異なる分光エネルギー分布のものとなっている。
【００４７】
すなわち、第１発光部１ａから発光される第１の照明光は、３８０ｎｍ以下の波長帯域でのみ発光する紫外線照明光となっていて、つまり、可視域よりも短波長側にしかエネルギー分布を持たない照明光である。
【００４８】
また、第２発光部１ｂから発光される第２の照明光Ａと、第３発光部１ｃから発光される第２の照明光Ｂとは、それぞれ異なる分光分布を有しているが、３８０ｎｍから７８０ｎｍの可視域の波長帯域でのみ発光する可視光の照明光となっている。
【００４９】
こうして照明装置１は、これらの照明光を必要に応じて切り替えて発光させることができるようになっている。
【００５０】
上記被写体２は、蛍光成分を含む物体であり、例えば第１発光部１ａから第１の照明光が照射されると、可視域の波長帯域で発光する特性をもつものとなっている。
【００５１】
上記白色板７は、可視域でほぼ１００％の反射率をもち、完全拡散に近い反射特性をもつものである。
【００５２】
上記分光計３は、上記制御装置４の制御信号に基づいて、３８０ｎｍから７８０ｎｍの波長帯域において１ｎｍ間隔で対象物のスペクトルを測定し、４０１次元のスペクトルデータを該制御装置４に出力するものである。
【００５３】
このような分光測定システムにより測定を行うときは、次のような順序で行う。
【００５４】
まず、上記分光計３を用いて、第２の照明光Ａ下におかれた白色板７を対象物として測定することにより、該第２の照明光Ａのスペクトルデータｅを取得し、次に、第２の照明光Ｂ下におかれた白色板７を対象物として測定することにより、該第２の照明光Ｂのスペクトルデータｅを取得する。
【００５５】
続いて、紫外線照明光である第１の照明光下におかれた被写体２を対象物として測定することにより、該被写体２の蛍光発光測定スペクトル（第１のスペクトルであって、蛍光発光の分光特性ｋに対応する。）を取得する。
【００５６】
そして、第２発光部１ｂからの第２の照明光Ａ下の被写体２を対象として測定し、第３発光部１ｃからの第２の照明光Ｂ下の被写体２を対象として測定することにより、複数の照明光下における第２のスペクトルである反射光スペクトルｖを得ることができる。
【００５７】
制御装置４は、分光計３に制御信号を送って制御することにより、分光計３から測定データを取得し、取得した測定データを分光反射率算出装置５に出力する。
【００５８】
分光反射率算出装置５は、上記制御装置４から入力した測定データに基づき、被写体２の２次元分光反射率（すなわち、数式１や数式２等に示したような、入射波長と反射波長の両方に依存する分光反射率）を算出し、測色値算出装置６に出力する。
【００５９】
測色値算出装置６は、上記分光反射率算出装置５から入力した蛍光物体の分光反射率Ｒ（関数表記では、r（λin，λout）としている。）に対して、該測色値算出装置６内に予め記憶されている再現照明光スペクトルデータｅ（λin）と、等色関数データｘ（λout），ｙ（λout），ｚ（λout）と、を用いることにより、再現照明光下における測色値ＸＹＺを、次の数式２７に示すように算出する。
【数２７】
0004174707.tif 000028
【００６０】
ここに、等色関数データは、国際照明委員会（ＣＩＥと省略する。）が規定する「CIE 1931 standard colorimetric observer」の視覚特性であり、そのデータは、ＣＩＥのテクニカルレポート（Technical report）「Colorimetry, Publ.
CIE No.15.2」（文献３）に記載されている。
【００６１】
なお、これらの分光データは、全て、３８０ｎｍから７８０ｎｍの波長範囲において１ｎｍ間隔で量子化された４０１次元のデジタルデータであり、等色関数データについては上記文献３に記載されている５ｎｍ間隔のデータから予め補間演算を行うことにより算出されたものである。
【００６２】
次に、図２は、上記分光反射率算出装置５の概略構成を示すブロック図である。
【００６３】
上記分光反射率算出装置５は、非蛍光分光反射率算出手段たる非蛍光成分算出部１１と、蛍光分光反射率算出手段たる蛍光成分算出部１２と、分光反射率合成手段たる分光反射率合成部１３と、を有して構成されている。
【００６４】
上記非蛍光成分算出部１１は、制御装置４から、第２の照明光Ａ下で測定した対象物の反射光スペクトルｖと、第２の照明光Ｂ下で測定した対象物の反射光スペクトルｖと、の何れか一方または両方を入力する。
【００６５】
また、非蛍光成分算出部１１は、上記蛍光成分算出部１２から蛍光発光スペクトルｋを入力する。
【００６６】
こうして非蛍光成分算出部１１は、これらのデータに基づき、非蛍光分光反射率Ｒ0を算出して、算出結果を上記蛍光成分算出部１２と上記分光反射率合成部１３とに出力する。
【００６７】
さらに非蛍光成分算出部１１は、蛍光スペクトルの絶対値である寄与率ｂを算出して、算出した寄与率ｂを上記蛍光成分算出部１２に出力する。
【００６８】
上記蛍光成分算出部１２は、上記制御装置４から第１の照明光下で測定した被写体２のスペクトルを入力して、上述したように、蛍光発光スペクトルｋとして非蛍光成分算出部１１に出力する。
【００６９】
蛍光成分算出部１２は、さらに、上記非蛍光成分算出部１１から非蛍光分光反射率Ｒ0と寄与率ｂとを入力して、蛍光分光反射率Ｒfを算出し、分光反射率合成部１３に出力する。
【００７０】
上記分光反射率合成部１３は、上記非蛍光成分算出部１１から非蛍光分光反射率Ｒ0を入力するとともに、上記蛍光成分算出部１２から蛍光分光反射率Ｒfを入力して、これらを上記数式６に基づいて合成することにより蛍光物体の分光反射率Ｒを算出し、算出結果を測色値算出装置６に出力する。
【００７１】
上記測色値算出装置６は、この分光反射率合成部１３から入力した蛍光物体の分光反射率Ｒ（関数表記では、r（λin，λout）としている。）に対して、上述したように、該測色値算出装置６の内部に予め記憶されている再現用の照明光スペクトルｅ（λin）と、等色関数データと、を用いて、上記数式２７により測色値ＸＹＺを算出する。
【００７２】
続いて、図３は、上記非蛍光成分算出部１１の概略構成を示すブロック図である。
【００７３】
上記非蛍光成分算出部１１は、係数算出部２１と、非蛍光分光反射率算出部２２と、を有して構成されている。
【００７４】
上記係数算出部２１は、制御装置４から反射光スペクトルｖを入力するとともに、蛍光成分算出部１２から蛍光発光スペクトルｋを入力して、反射光スペクトルｖが１つの場合には上記数式１４に基づいて係数ａとスカラー量ｂとを算出し、反射光スペクトルｖが２つの場合には上記数式１５に対応する最小２乗解により係数ａとベクトル量ｂとを算出する。
【００７５】
そして係数算出部２１は、算出した係数ａを非蛍光分光反射率算出部２２へ出力するとともに、算出したスカラー量ｂ（複数の照明光を用いた場合にはベクトル量ｂ）を上記蛍光成分算出部１２へ出力する。
【００７６】
上記非蛍光分光反射率算出部２２は、上記係数算出部２１から係数ａを入力して上記数式７に基づき非蛍光分光反射率Ｒ0を算出し、上記蛍光成分算出部１２と分光反射率合成部１３とへ出力する。なお、数式７を計算する際に必要となる主成分Ｕは、該非蛍光分光反射率算出部２２内に予め記憶されているものとする。
【００７７】
さらに、図４は、上記蛍光成分算出部１２の概略構成を示すブロック図である。
【００７８】
上記蛍光成分算出部１２は、蛍光スペクトル算出手段たる蛍光スペクトル算出部３１と、蛍光スペクトル算出手段たる寄与率算出部３２と、発光効率算出手段たる発光効率算出部３３と、蛍光分光反射率合成手段たる蛍光分光反射率合成部３４と、を有して構成されている。
【００７９】
上記蛍光スペクトル算出部３１は、上記制御装置４から蛍光発光測定スペクトルを入力して、これを蛍光発光スペクトルｋとして非蛍光成分算出部１１と蛍光分光反射率合成部３４とへ出力する。
【００８０】
次に、上記発光効率算出部３３は、上記非蛍光成分算出部１１からＲ0を入力して、上記数式１０に基づいて発光効率ｓを算出し、算出結果を寄与率算出部３２と蛍光分光反射率合成部３４とへ各出力する。
【００８１】
上記寄与率算出部３２は、上記非蛍光成分算出部１１からスカラー量ｂ（複数の照明光を用いた場合にはベクトル量ｂ）を入力するとともに、上記発光効率算出部３３から発光効率ｓを入力して、上記数式１２または数式１７に基づきモデルパラメータｃを算出し、蛍光分光反射率合成部３４へ出力する。
【００８２】
上記蛍光分光反射率合成部３４は、蛍光スペクトル算出部３１から蛍光発光スペクトルｋを、寄与率算出部３２からモデルパラメータｃを、発光効率算出部３３から発光効率ｓを、それぞれ入力し、上記数式８に基づいて蛍光分光反射率Ｒfを算出し、分光反射率合成部１３に出力する。
【００８３】
なお、この第１の実施形態では、照明光として、紫外線の照明光１種類と可視域の照明光２種類の合計３種類を発光可能な照明装置を例に説明したが、本発明は勿論これに限定されるものではない。上記原理において述べたように、可視域よりも短波長側のみでエネルギーを有する１種類以上の照明光と、可視域においてエネルギーを有する１種類以上の照明光と、を発光可能であれば、任意の数の発光部を有する照明装置を利用することが可能である。
【００８４】
また、上述では、スペクトル測定手段として３８０ｎｍから７８０ｎｍの波長範囲を１ｎｍ間隔で測定する分光計を例に挙げて説明したが、勿論、これにも限定されるものではなく、任意の波長範囲において任意の波長間隔により測定を行う分光計や、測色値ＸＹＺ等を直接出力する測色計なども同様に利用することが可能である。
【００８５】
このような第１の実施形態によれば、従来の蛍光物体を対象とした分光測定システムと比較して簡便なシステム構成により、蛍光物体の分光反射率の測定を行うことができる。
【００８６】
特に、蛍光分光反射率を反射波長の関数である蛍光スペクトルと入射波長の関数である発光効率との積としてモデル化することにより、少ない測定で蛍光分光反射率を算出することが可能となる。
【００８７】
また、複数の照明光を用いて測定した被測定物のスペクトルを利用することにより、高精度な分光反射率の算出をより安定して行うことが可能となる。
【００８８】
こうして、簡便なシステム構成で簡易な操作により蛍光物体の色を任意の照明光下で正確に推定することができるために、電子商取引などにおいて製品やそのパーツ等の色を所望の照明光下でシミュレートして確認するシステムなどへ応用することが可能となる。
【００８９】
図５から図１１は本発明の第２の実施形態を示したものであり、図５は色再現システムの概略構成を示す図である。この第２の実施形態において、上述の第１の実施形態と同様である部分については説明を省略し、主として異なる点についてのみ説明する。
【００９０】
この色再現システムは、照明光を発光する照明装置４１と、白色板４７と、上記照明光により照明された白色板４７および対象物であり被測定物である被写体４２を撮影して撮影信号を出力する撮影手段たるマルチスペクトルカメラ（以下、ＭＳＣと省略する。）４３と、このＭＳＣ４３を制御するとともにその撮影信号を受け取る撮影手段を兼ねた制御装置４４と、この制御装置４４から出力される撮影信号に基づき色再現を行うための演算等を行うカラー画像信号変換手段たる色再現装置４５と、この色再現装置４５により色再現された映像を表示するカラー画像出力手段たる表示装置４６と、を有して構成されていて、非蛍光物体だけでなく蛍光物体の色再現も行うことができるようになっている。
【００９１】
このような色再現システムの内の、被写体４２と白色板４７とは、上述した第１の実施形態の被写体２と白色板７とそれぞれ同様であるために、説明は省略する。
【００９２】
また、上記照明装置４１は、第１の照明光を発光する第１発光部４１ａと、第２の照明光Ａを発光する第２発光部４１ｂと、第２の照明光Ｂを発光する第３発光部４１ｃと、を有して構成されていて、各発光部４１ａ，４１ｂ，４１ｃは、上述した第１の実施形態の照明装置１における各発光部１ａ，１ｂ，１ｃとそれぞれ同様に構成されている。
【００９３】
さらに、上記ＭＳＣ４３は、制御装置４４の制御信号に基づいて被写体４２のマルチスペクトル画像を撮影し、該制御装置４４に出力するものである。
【００９４】
このような分光測定システムにより測定を行うときは、次のような順序で行う。
【００９５】
第２発光部４１ｂからの第２の照明光Ａ、または第３発光部４１ｃからの第２の照明光Ｂ下におかれた白色板４７を対象物として、ＭＳＣ４３により撮影を行い、画像内の白色板領域の撮影信号から照明光スペクトルｅを取得する。
【００９６】
この照明光スペクトルｅは、後述する図７に示すようなＭＳＣ４３の分光感度を考慮して各バンドの撮影信号値を補間演算することにより、３８０ｎｍから７８０ｎｍの波長帯域において１ｎｍ間隔で量子化された４０１次元のデータとして算出される。
【００９７】
続いて、紫外線照明光である第１の照明光下におかれた被写体４２を対象物として測定することにより、該被写体４２の第２の撮影信号である蛍光撮影信号を取得する。
【００９８】
そして、第２の照明光Ａ下、または第２の照明光Ｂ下の被写体４２を対象として撮影することにより、第１の撮影信号である撮影信号ｇを取得する。
【００９９】
制御装置４４は、ＭＳＣ４３から入力した撮影信号を画像データとして色再現装置４５に出力する。
【０１００】
色再現装置４５は、制御装置４４から入力した画像データに基づき、被写体４２の２次元分光反射率画像を算出し、所望の照明光スペクトル下の色をもつカラー画像を表示装置４６に表示するための表示信号画像に変換し、表示装置４６に出力する。
【０１０１】
表示装置４６は、この色再現装置４５から入力したカラー画像データを画面上に表示する。
【０１０２】
図６は、上記ＭＳＣ４３の概略構成を示す図である。
【０１０３】
被写体４６からの入射光は、レンズ５１により集光され、干渉フィルタ５５を介して所定の波長帯域の光のみの通過が許容された後に、モノクロＣＣＤ５３上に結像される。
【０１０４】
上記干渉フィルタ５５は、１６バンドの帯域に各対応して１６枚設けられており、これら１６枚の干渉フィルタ５５がフィルタターレット５２に装填されている。そして、このフィルタターレット５２をモータ５４によって回転することにより、上記レンズ５１からモノクロＣＣＤ５３への光路中に、各干渉フィルタ５５が順次挿入されるようになっている。干渉フィルタ５５が光路上に位置するのに同期させて、上記モノクロＣＣＤ５３で撮影を行うことにより、各干渉フィルタ５５に対応する分光感度の１６バンドの被写体画像が順次撮影される。
【０１０５】
図７は、１６バンドでなるＭＳＣ４３の分光感度の一例を示す線図である。
【０１０６】
このＭＳＣ４３は、図７に示すように、３８０ｎｍから７８０ｎｍの波長領域において、ほぼ等間隔の１６個のピーク感度を有する分光感度となっている。このＭＳＣ４３により撮影された１６バンドでなるマルチバンド画像データは、上記制御装置４４に出力されて処理される。
【０１０７】
なお、フィルタターレット５２の干渉フィルタ５５を付け替えることにより、１６バンドの分光感度を用途に応じて変更することが可能である。
【０１０８】
図８は、上記色再現装置４５の概略構成を示すブロック図である。
【０１０９】
この色再現装置４５は、非蛍光分光反射率算出手段たる非蛍光成分算出部６１と、蛍光分光反射率算出手段たる蛍光成分算出部６２と、分光反射率合成手段たる分光反射率合成部６３と、測色値算出部６４と、カラー画像信号算出手段たる表示信号算出部６５と、を有して構成されている。
【０１１０】
上記非蛍光成分算出部６１は、制御装置４４から、第２の照明光Ａ下で撮影した被写体の撮影信号ｇと、第２の照明光Ｂ下で撮影した被写体の撮影信号ｇと、の何れか一方または両方を入力するとともに、上記蛍光成分算出部６２から蛍光撮影信号Ｈｋを入力して、これらに基づき、非蛍光分光反射率Ｒ0を算出し、蛍光成分算出部６２と分光反射率合成部６３とに出力する。
【０１１１】
さらに、非蛍光成分算出部６１は、蛍光スペクトルの絶対値である寄与率ｂを算出して、蛍光成分算出部６２に出力する。
【０１１２】
蛍光成分算出部６２は、制御装置４４から第１の照明光下で撮影した被写体４２の蛍光撮影信号を入力し、蛍光撮影信号Ｈｋとして非蛍光成分算出部６１に出力する。
【０１１３】
また、蛍光成分算出部６２は、上記非蛍光成分算出部６１から非蛍光分光反射率Ｒ0と寄与率ｂとを入力して、蛍光分光反射率Ｒfを算出し、分光反射率合成部６３に出力する。
【０１１４】
上記分光反射率合成部６３は、上記非蛍光成分算出部６１から非蛍光分光反射率Ｒ0を入力するとともに、上記蛍光成分算出部６２から蛍光分光反射率Ｒfを入力して、これらを上記数式６に基づいて合成することにより蛍光物体の分光反射率Ｒを算出し、算出結果を測色値算出部６４に出力する。
【０１１５】
上記測色値算出部６４は、この分光反射率合成部６３から入力した蛍光物体の分光反射率Ｒ（関数表記では、r（λin，λout）としている。）に対して、上述したように、該測色値算出部６４の内部に予め記憶されている再現用の照明光スペクトルｅ（λin）と、等色関数と、を用いて、上記数式２７より測色値ＸＹＺを算出する。
【０１１６】
上記表示信号算出部６５は、測色値算出部６４から測色値ＸＹＺを入力して、表示装置４６の色特性データを用いて表示装置４６の表示信号に変換する。
【０１１７】
この測色値ＸＹＺから表示信号への変換は、例えば田島譲二著「カラー画像複製論」（丸善１９９６の第３４貢から第３９貢）（文献４）に記載されているような手段等を用いる。
【０１１８】
図９は、非蛍光成分算出部６１の概略構成を示すブロック図である。
【０１１９】
上記非蛍光成分算出部６１は、係数算出部７１と、非蛍光分光反射率算出部７２と、を有して構成されている。
【０１２０】
上記係数算出部７１は、制御装置４４から撮影信号ｇを入力するとともに、蛍光成分算出部６２から蛍光撮影信号Ｈｋを入力して、撮影信号ｇが１つの場合には上記数式２５に基づいて係数ａとスカラー量ｂを算出し、撮影信号ｇが２つの場合には上記数式２６に対応する最小２乗解により係数ａとベクトル量ｂとを算出する。
【０１２１】
そして係数算出部７１は、算出した係数ａを非蛍光分光反射率算出部７２へ出力するとともに、算出したスカラー量ｂ（複数の照明光を用いた場合にはベクトル量ｂ）を上記蛍光成分算出部６２へ出力する。
【０１２２】
上記非蛍光分光反射率算出部７２は、上記係数算出部７１から係数ａを入力して上記数式７に基づき非蛍光分光反射率Ｒ0を算出し、上記蛍光成分算出部６２と分光反射率合成部６３とへ出力する。ここで、数式７を計算する際に必要となる主成分Ｕが、該非蛍光分光反射率算出部７２内に予め記憶されていることは、上述と同様である。
【０１２３】
図１０は、上記蛍光成分算出部６２の概略構成を示すブロック図である。
【０１２４】
上記蛍光成分算出部６２は、蛍光スペクトル算出手段たる蛍光スペクトル算出部８１と、蛍光スペクトル算出手段たる寄与率算出部８２と、発光効率算出手段たる発光効率算出部８３と、蛍光分光反射率合成手段たる蛍光分光反射率合成部８４と、を有して構成されている。
【０１２５】
上記蛍光スペクトル算出部８１は、上記制御装置４４から蛍光撮影信号を入力して、これを蛍光撮影信号Ｈｋとして非蛍光成分算出部６１へ出力する。さらに、該蛍光スペクトル算出部８１は、蛍光発光スペクトルｋを上記数式２４に基づいて算出し、蛍光分光反射率合成部８４へ出力する。
【０１２６】
次に、上記発光効率算出部８３は、上記非蛍光成分算出部６１からＲ0を入力して、上記数式１０に基づいて発光効率ｓを算出し、算出結果を寄与率算出部８２と蛍光分光反射率合成部８４とへ各出力する。
【０１２７】
上記寄与率算出部８２は、上記非蛍光成分算出部６１からスカラー量ｂ（複数の照明光を用いた場合にはベクトル量ｂ）を入力するとともに、上記発光効率算出部８３から発光効率ｓを入力して、上記数式１２または数式１７に基づきモデルパラメータｃを算出し、蛍光分光反射率合成部８４へ出力する。
【０１２８】
上記蛍光分光反射率合成部８４は、蛍光スペクトル算出部８１から蛍光発光スペクトルｋを、寄与率算出部８２からモデルパラメータｃを、発光効率算出部８３から発光効率ｓを、それぞれ入力し、上記数式８に基づいて蛍光分光反射率Ｒfを算出し、分光反射率合成部６３に出力する。
【０１２９】
図１１は、上記表示信号算出部６５の概略構成を示すブロック図である。
【０１３０】
上記表示信号算出部６５は、マトリクス演算部９１と、階調補正部９２と、を有して構成されている。
【０１３１】
上記マトリクス演算部９１は、測色値算出部６４から入力した測色値ＸＹＺを表示装置４６のもつ表示原色の色度値に基づいてＲＧＢ値に変換する。
【０１３２】
上記階調補正部９２は、このマトリクス演算部９１から入力したＲＧＢ値を、表示装置４６の階調特性に基づいて、該表示装置４６の入力信号ＤrＤgＤbに補正して表示装置４６へ出力する。
【０１３３】
これらマトリクス演算部９１と階調補正部９２とにおける処理は、上記文献４に記載されているものと同様であるために、詳細な説明は省略する。
【０１３４】
なお、この第２の実施形態においても、３種類の照明光を発光可能な照明装置を例に説明したが、これに限定されるものではないことは同様である。
【０１３５】
また、上述では、撮影手段として１６バンドのマルチスペクトルカメラを例に挙げて説明したが、本発明はこれに限定されるものではなく、任意のバンド数や任意の分光感度を有するカメラを利用することが可能である。
【０１３６】
さらに、上述では、カラー画像出力手段としては３原色の表示装置を例に挙げて説明したが、本発明はこれにも限定されるものではなく、任意の原色数を表示可能な表示装置やプリンタ、印刷機等のカラー画像出力機器を利用することが可能である。
【０１３７】
このような第２の実施形態によれば、上述した第１の実施形態とほぼ同様の効果を奏するとともに、蛍光物体に対して任意の照明光下の色をシミュレートし、カラー画像として正確に再現することが可能となる。
【０１３８】
なお、本発明は上述した実施形態に限定されるものではなく、発明の主旨を逸脱しない範囲内において種々の変形や応用が可能であることは勿論である。
【０１３９】
【発明の効果】
以上説明したように本発明の分光測定システム、色再現システムによれば、任意の照明光下における蛍光物体の色やスペクトルを簡便かつ正確に取得することが可能となる。
【図面の簡単な説明】
【図１】本発明の第１の実施形態における分光測定システムの概略構成を示す図。
【図２】上記第１の実施形態における分光反射率算出装置の概略構成を示すブロック図。
【図３】上記第１の実施形態における非蛍光成分算出部の概略構成を示すブロック図。
【図４】上記第１の実施形態における蛍光成分算出部の概略構成を示すブロック図。
【図５】本発明の第２の実施形態における色再現システムの概略構成を示す図。
【図６】上記第２の実施形態におけるＭＳＣの概略構成を示す図。
【図７】上記第２の実施形態における１６バンドでなるＭＳＣの分光感度の一例を示す線図。
【図８】上記第２の実施形態における色再現装置の概略構成を示すブロック図。
【図９】上記第２の実施形態における非蛍光成分算出部の概略構成を示すブロック図。
【図１０】上記第２の実施形態における蛍光成分算出部の概略構成を示すブロック図。
【図１１】上記第２の実施形態における表示信号算出部の概略構成を示すブロック図。
【符号の説明】
１，４１…照明装置
１ａ，４１ａ…第１発光部（第１の照明光を発光する）
１ｂ，４１ｂ…第２発光部（第２の照明光を発光する）
１ｃ，４１ｃ…第３発光部（第２の照明光を発光する）
２，４２…被写体（被測定物）
３…分光計（スペクトル測定手段）
４…制御装置（スペクトル測定手段）
５…分光反射率算出装置（分光反射率算出手段）
６…測色値算出装置（色算出手段）
７，４７…白色板
１１，６１…非蛍光成分算出部（非蛍光分光反射率算出手段）
１２，６２…蛍光成分算出部（蛍光分光反射率算出手段）
１３，６３…分光反射率合成部（分光反射率合成手段）
２１，７１…係数算出部
２２，７２…非蛍光分光反射率算出部
３１，８１…蛍光スペクトル算出部（蛍光スペクトル算出手段）
３２，８２…寄与率算出部（蛍光スペクトル算出手段）
３３，８３…発光効率算出部（発光効率算出手段）
３４，８４…蛍光分光反射率合成部（蛍光分光反射率合成手段）
４３…ＭＳＣ（マルチスペクトルカメラ）（撮影手段）
４４…制御装置（撮影手段）
４５…色再現装置（カラー画像信号変換手段）
４６…表示装置（カラー画像出力手段）
６４…測色値算出部
６５…表示信号算出部（カラー画像信号算出手段）
９１…マトリクス演算部
９２…階調補正部
【図１】
0004174707.tif 000029
【図２】
0004174707.tif 000030
【図３】
0004174707.tif 000031
【図４】
0004174707.tif 000032
【図５】
0004174707.tif 000033
【図６】
0004174707.tif 000034
【図７】
0004174707.tif 000035
【図８】
0004174707.tif 000036
【図９】
0004174707.tif 000037
【図１０】
0004174707.tif 000038
【図１１】
0004174707.tif 000039